(57)【要約】      （修正有）【課題】誤検出の少ない入力装置又は複数の領域における入力情報を組み合わせた信号を出力することが可能な入力装置を提供する。【解決手段】第１の領域と、第２の領域と、を有し、第１の領域と第２の領域とが、向かい合わせに配置される入力装置である。第１の領域に入力された第１の位置情報を取得するステップＳ１０１と、第２の領域に入力された第２の位置情報を取得するステップＳ１０２と、第２の位置情報を上下反転または左右反転させた第３の位置情報に変換するステップＳ１０３と、第１の位置情報と第３の位置情報との論理積である第４の位置情報を取得するステップＳ１０４と、第４の位置情報に応じて信号を出力するステップＳ１０６と、を実行する。【選択図】図１
2015228211.tif 000002
【特許請求の範囲】
【請求項１】
第１の領域と、第２の領域と、を有し、
前記第１の領域と前記第２の領域とが、向かい合わせに配置される入力装置であって、
前記第１の領域に入力された第１の位置情報を取得する手段と、
前記第２の領域に入力された第２の位置情報を取得する手段と、
前記第２の位置情報を第３の位置情報に変換する手段と、
第４の位置情報を取得する手段と、
前記第４の位置情報に応じて信号を出力する手段と、を有し、
前記第３の位置情報は、前記第２の位置情報を、上下反転または左右反転させた情報を有し、
前記第４の位置情報は、前記第１の位置情報と前記第３の位置情報との論理積である情報を有することを特徴とする入力装置。
【請求項２】
第１の領域と、第２の領域と、を有し、
前記第１の領域と前記第２の領域とが、背中合わせに配置される入力装置であって、
前記第１の領域に入力された第１の位置情報を取得する手段と、
前記第２の領域に入力された第２の位置情報を取得する手段と、
第３の位置情報を取得する手段と、
前記第３の位置情報に応じて信号を出力する手段と、を有し、
前記第３の位置情報は、前記第１の位置情報と前記第２の位置情報との論理積である情報を有することを特徴とする入力装置。
【請求項３】
第１の領域と、第２の領域と、を有し、
前記第１の領域と前記第２の領域とが、背中合わせに配置される入力装置であって、
前記第１の領域に入力された第１の位置情報を取得する手段と、
前記第２の領域に入力された第２の位置情報を取得する手段と、
第３の位置情報に変換する手段と、
第４の位置情報を取得する手段と、
前記第４の位置情報に応じて信号を出力する手段と、を有し、
前記第３の位置情報は、前記第２の位置情報を、上下反転または左右反転させた情報を有し、
前記第４の位置情報は、前記第１の位置情報と前記第３の位置情報との論理積である情報を有することを特徴とする入力装置。
【請求項４】
請求項１乃至請求項３のいずれか一において、
前記信号は、ラベリングされたパターン情報を有することを特徴とする入力装置。
【請求項５】
物体の接触を検知する機能を有することを特徴とする、
請求項１乃至請求項４のいずれか一に記載の入力装置。
【請求項６】
可とう性を有する領域を有することを特徴とする、
請求項１乃至請求項５のいずれか一に記載の入力装置。
【請求項７】
請求項１乃至請求項６のいずれか一に記載の入力装置と、
表示装置と、
を有することを特徴とするモジュール。
【請求項８】
請求項１乃至請求項６のいずれか一に記載の入力装置、または請求項７に記載のモジュールと、
送信部と、
を有することを特徴とする操作装置。
【請求項９】
請求項１乃至請求項６のいずれか一に記載の入力装置、請求項７に記載のモジュール、または請求項８に記載の操作装置と、
プロセッサと、
を有することを特徴とするゲーム装置。
【請求項１０】
請求項１乃至請求項６のいずれか一に記載の入力装置、請求項７に記載のモジュール、または請求項８に記載の操作装置と、
スピーカー、操作キーまたはバッテリーと、
を有することを特徴とする電子機器。
【発明の詳細な説明】
【技術分野】
【０００１】
本発明は、例えば、入力装置、モジュール、ゲーム装置および電子機器、ならびにそれらの製造方法に関する。または、本発明は、例えば、半導体装置、表示装置、発光装置、照明装置、蓄電装置、記憶装置、プロセッサに関する。または、半導体装置、表示装置、液晶表示装置、発光装置、記憶装置の製造方法に関する。または、入力装置、モジュール、半導体装置、表示装置、液晶表示装置、発光装置、記憶装置、ゲーム装置、電子機器の駆動方法に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。
【０００３】
なお、本明細書等において入力装置とは、情報を入力する機能を有する装置全般を指す。また、入力した情報を出力する機能を有する場合は入出力装置と呼びかえることもできる。例えば、タッチパネル（オンセルタッチパネル、インセルタッチパネルなどを含む）、タッチセンサー、非接触センサー、ジェスチャーセンサー、加速度センサー、光センサー、音センサー、温度センサーなどは、入力装置を有する場合がある。また、本明細書等において半導体装置とは、半導体特性を利用することで機能しうる装置全般を指す。表示装置、発光装置、照明装置、電気光学装置、半導体回路および電子機器は、半導体装置を有する場合がある。
【背景技術】
【０００４】
近年、携帯情報端末やゲーム装置などにタッチセンサーなどを搭載した製品が増加している（特許文献１参照。）。なお、タッチセンサーは、面積あたりのセンサー数を多くすることで、微小な領域における検出精度を高くすることができる。また、検出領域が面全体であることを利用するなどし、ユニークな製品が生み出されている。
【０００５】
一方、タッチセンサーは、ボタンとは異なり、意図しない接触などによって、誤検出が起こる場合があった。
【先行技術文献】
【特許文献】
【０００６】
【特許文献１】特開２００５−１９２９８６
【発明の概要】
【発明が解決しようとする課題】
【０００７】
誤検出の少ない入力装置を提供することを課題の一とする。または、複数の領域における入力情報を組み合わせた信号を出力することが可能な入力装置を提供することを課題の一とする。または、新規な入力装置を提供することを課題の一とする。または、該入力装置を有するモジュールを提供することを課題の一とする。または、該入力装置、または該モジュールを有するゲーム装置を提供することを課題の一とする。または、該入力装置、または該モジュールを有する電子機器を提供することを課題の一とする。または、新規なモジュールを提供することを課題の一とする。または、新規なゲーム装置を提供することを課題の一とする。または、新規な電子機器を提供することを課題の一とする。
【０００８】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００９】
（１）
本発明の一態様は、第１の領域と、第２の領域と、を有し、第１の領域と第２の領域とが、向かい合わせに配置される入力装置であって、第１の領域に入力された第１の位置情報を取得する手段と、第２の領域に入力された第２の位置情報を取得する手段と、第３の位置情報に変換する手段と、第４の位置情報を取得する手段と、第４の位置情報に応じて信号を出力する手段と、を有し、第３の位置情報は、第２の位置情報を上下反転または左右反転させた情報を有し、第４の位置情報は、第１の位置情報と第３の位置情報との論理積である情報を有する入力装置である。
【００１０】
（２）
または、本発明の一態様は、第１の領域と、第２の領域と、を有し、第１の領域と第２の領域とが、背中合わせに配置される入力装置であって、第１の領域に入力された第１の位置情報を取得する手段と、第２の領域に入力された第２の位置情報を取得する手段と、第３の位置情報を取得する手段と、第３の位置情報に応じて信号を出力する手段と、を有し、第３の位置情報は、第１の位置情報と第２の位置情報との論理積である情報を有する入力装置である。
【００１１】
（３）
または、本発明の一態様は、第１の領域と、第２の領域と、を有し、第１の領域と第２の領域とが、背中合わせに配置される入力装置であって、第１の領域に入力された第１の位置情報を取得する手段と、第２の領域に入力された第２の位置情報を取得する手段と、第３の位置情報に変換する手段と、第４の位置情報を取得する手段と、第４の位置情報に応じて信号を出力する手段と、を有し、第３の位置情報は、第２の位置情報を上下反転または左右反転させた情報を有し、第４の位置情報は、第１の位置情報と第３の位置情報との論理積である情報を有する入力装置である。
【００１２】
（４）
または、本発明の一態様は、（１）乃至（３）のいずれか一において、信号は、ラベリングされたパターン情報を有する入力装置である。
【００１３】
（５）
または、本発明の一態様は、物体の接触を検知する機能を有する、（１）乃至（４）のいずれか一に記載の入力装置である。
【００１４】
（６）
または、本発明の一態様は、可とう性を有する領域を有する、（１）乃至（５）のいずれか一に記載の入力装置である。
【００１５】
（７）
または、本発明の一態様は、（１）乃至（６）のいずれか一に記載の入力装置と、表示装置と、を有するモジュールである。
【００１６】
（８）
または、本発明の一態様は、（１）乃至（６）のいずれか一に記載の入力装置、または（７）に記載のモジュールと、送信部と、を有する操作装置である。
【００１７】
（９）
または、本発明の一態様は、（１）乃至（６）のいずれか一に記載の入力装置、（７）に記載のモジュール、または（８）に記載の操作装置と、プロセッサと、を有するゲーム装置である。
【００１８】
（１０）
または、本発明の一態様は、（１）乃至（６）のいずれか一に記載の入力装置、（７）に記載のモジュール、または（８）に記載の操作装置と、スピーカー、操作キーまたはバッテリーと、を有する電子機器である。
【発明の効果】
【００１９】
誤検出の少ない入力装置を提供することができる。または、複数の領域における入力情報を組み合わせた信号を出力することが可能な入力装置を提供することができる。または、新規な入力装置を提供することができる。または、該入力装置を有するモジュールを提供することができる。または、該入力装置、または該モジュールを有するゲーム装置を提供することができる。または、該入力装置、または該モジュールを有する電子機器を提供することができる。または、新規なモジュールを提供することができる。または、新規なゲーム装置を提供することができる。または、新規な電子機器を提供することができる。
【００２０】
なお、これらの効果の記載は、他の効果の存在を妨げるものではない。なお、本発明の一態様は、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２１】
【図１】入力装置の動作を説明するフローチャート。
【図２】入力装置の動作を説明するフローチャート。
【図３】入力装置の動作を説明するフローチャート。
【図４】入力装置を説明する斜視図。
【図５】入力装置の動作を説明する斜視図および平面図。
【図６】入力装置の動作を説明する斜視図および平面図。
【図７】入力装置を説明する斜視図。
【図８】入力装置を説明する斜視図。
【図９】入力装置を有するパネルを説明する斜視図。
【図１０】ゲーム装置を説明する斜視図。
【図１１】ゲーム装置を説明する斜視図。
【図１２】タッチパネルを説明する図。
【図１３】タッチパネルを説明する図。
【図１４】タッチパネルを説明する図。
【図１５】タッチパネルを説明する図。
【図１６】タッチパネルを説明する図。
【発明を実施するための形態】
【００２２】
本発明の実施の形態について、図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。なお、図面を用いて発明の構成を説明するにあたり、同じものを指す符号は異なる図面間でも共通して用いる。なお、同様のものを指す際にはハッチパターンを同じくし、特に符号を付さない場合がある。
【００２３】
なお、図において、大きさ、膜（層）の厚さ、または領域は、明瞭化のために誇張されている場合がある。
【００２４】
なお、第１、第２として付される序数詞は便宜的に用いるものであり、工程順または積層順を示すものではない。そのため、例えば、「第１の」を「第２の」または「第３の」などと適宜置き換えて説明することができる。また、本明細書などに記載されている序数詞と、本発明の一態様を特定するために用いられる序数詞は一致しない場合がある。
【００２５】
なお、本明細書において、ＡがＢより迫り出した形状を有すると記載する場合、上面図または断面図において、Ａの少なくとも一端が、Ｂの少なくとも一端よりも外側にある形状を有することを示す場合がある。したがって、ＡがＢより迫り出した形状を有すると記載されている場合、例えば上面図において、Ａの一端が、Ｂの一端よりも外側にある形状を有すると読み替えることができる。
【００２６】
＜入力装置の動作＞
以下では、本発明の一態様に係る入力装置の動作について説明する。
【００２７】
図１は、本発明の一態様に係る入力装置に入力された位置情報を変換して出力するまでを示すフローチャートである。入力装置は、位置情報を検出することが可能な、領域ａおよび領域ｂを有する。
【００２８】
まず、領域ａに入力された位置情報Ａを取得する（ステップＳ１０１参照。）。なお、本明細書において、位置情報は、Ｘ座標（左右の位置情報）の位置情報およびＹ座標（上下の位置情報）の位置情報を含む。また、本明細書において、位置情報は、複数の座標を有する場合がある。例えば、複数の座標にまたがって入力された位置情報を、一つの位置情報として扱っても構わない。また、複数の座標に分離して入力された位置情報を、一つの位置情報または複数の位置情報として扱っても構わない。
【００２９】
次に、領域ｂに入力された位置情報Ｂを取得する（ステップＳ１０２参照。）。なお、領域ａと領域ｂとは、異なる領域を有する。ただし、領域ａの原点に対するＸ座標およびＹ座標と、領域ｂの原点に対するＸ座標およびＹ座標と、を比較することができるものとする。
【００３０】
次に、位置情報Ｂを反転させた位置情報−Ｂを取得する（ステップＳ１０３参照。）。なお、「位置情報を反転する」とは、領域の中心点に対して左右方向に反転すること、または／および上下方向に反転することをいう。
【００３１】
次に、位置情報Ａと位置情報−Ｂとを比較し、その論理積である位置情報Ａ∧−Ｂを取得する（ステップＳ１０４参照。）。即ち、位置情報Ａと位置情報−Ｂとが重複する座標を抽出し、新たな位置情報とする。
【００３２】
次に、位置情報Ａ∧−Ｂが０であるか、０でないかを判定する（ステップＳ１０５参照。）。そして、位置情報Ａ∧−Ｂが０であるとき、ステップＳ１０１に戻る。そして、位置情報Ａ∧−Ｂが０でないとき、位置情報Ａ∧−Ｂに応じた信号を出力する（ステップＳ１０６参照。）。なお、位置情報Ａ∧−Ｂが０であるとは、位置情報Ａと位置情報−Ｂとが同じ座標を有さないことをいう。
【００３３】
なお、位置情報Ａ∧−Ｂに応じた信号は、一または複数の座標として出力しても構わないし、ラベリングされたパターン情報として出力しても構わない。例えば、図３に示すように、ステップＳ１０６を、位置情報をラベリングしてパターン情報を作成するステップＳ１２１と、パターン情報を出力するステップＳ１２２と、に分けて行えばよい。
【００３４】
また、図２に、本発明の一態様に係る入力装置に入力された位置情報を変換して出力する、図１とは異なるフローチャートを示す。入力装置は、位置情報を検出することが可能な、領域ａおよび領域ｃを有する。
【００３５】
まず、領域ａに入力された位置情報Ａを取得する（ステップＳ１１１参照。）。
【００３６】
次に、領域ｃに入力された位置情報Ｃを取得する（ステップＳ１１２参照。）。なお、領域ａと領域ｃとは、異なる領域を有する。ただし、領域ａの原点に対するＸ座標およびＹ座標と、領域ｃの原点に対するＸ座標およびＹ座標と、を比較することができるものとする。
【００３７】
次に、位置情報Ａと位置情報Ｃとを比較し、その論理積である位置情報Ａ∧Ｃを取得する（ステップＳ１１３参照。）。
【００３８】
次に、位置情報Ａ∧Ｃが０であるか、０でないかを判定する（ステップＳ１１４参照。）。そして、位置情報Ａ∧Ｃが０であるとき、ステップＳ１１１に戻る。そして、位置情報Ａ∧−Ｂが０でないとき、位置情報Ａ∧Ｃに応じた信号を出力する（ステップＳ１１５参照。）。
【００３９】
図１と図２とは、位置情報の一を反転するか反転しないか、が異なるのみである。したがって、図２に示すフローチャートについては、図１の説明を参照することができる。
【００４０】
以上のようにして、本発明の一態様に係る入力装置に入力された位置情報を変換して出力することができる。
【００４１】
＜入力装置の例＞
次に、本発明の一態様に係る入力装置の例を説明する。
【００４２】
図４（Ａ）は、入力部１５０ａと、入力部１５０ｂと、を有する入力装置１５０の斜視図である。入力装置１５０において、入力部１５０ａと入力部１５０ｂとは互いに向かい合って配置される。なお、図４（Ｂ）に示すように、入力部１５０ａは、入力装置１５０の内側を向いた面に領域１００ａを有する。また、入力部１５０ｂは、入力装置１５０の内側を向いた面に領域１００ｂを有する。また、図４（Ｃ）に示すように、入力部１５０ａは、入力装置１５０の外側を向いた面に領域１００ｃを有する。また、入力部１５０ｂは、入力装置１５０の外側を向いた面に領域１００ｄを有する。なお、入力部１５０ａに、センサーなどを制御する回路１３０ａを接続しても構わない。また、入力部１５０ｂに、センサーなどを制御する回路１３０ｂを接続しても構わない。
【００４３】
例えば、図５（Ａ）に示すように、入力装置１５０において、入力部１５０ａおよび入力部１５０ｂを用いることで誤検出を低減することができる。ここでは、入力部１５０ａと入力部１５０ｂとの間に配置された物体１２０の位置情報を検出する方法について説明する。
【００４４】
入力部１５０ａの領域１００ａは、物体１２０の形状に対応した位置情報１２４ａを取得する（図５（Ｂ）参照。）。これは、図１のステップＳ１０１に相当する。同様に、入力部１５０ｂの領域１００ｂは、物体１２０の形状に対応した位置情報１２４ｂを取得する（図５（Ｃ）参照。）。これは、図１のステップＳ１０２に相当する。
【００４５】
次に、位置情報１２４ａと位置情報１２４ｂとの論理積を取得しても構わない。ただし、図５（Ｃ）のように、原点（図中Ｏと表記する。）および座標の取り方によって、位置情報１２４ｂは、位置情報１２４ａが鏡のように左右が反転した位置情報となる場合がある。したがって、位置情報の左右を反転させることで比較可能な位置情報に変換することが好ましい。これは、図１のステップＳ１０３に相当する。
【００４６】
図５（Ｄ）に、位置情報１２４ａと、左右反転した位置情報１２４ｂと、の論理積である位置情報１２２を示す。これは、図１のステップＳ１０４に相当する。
【００４７】
次に、位置情報１２２が値を持つことを確認する。これは、図１のステップＳ１０５に相当する。
【００４８】
そして、位置情報１２２に応じた信号を出力する。これは、図１のステップＳ１０６に相当する。
【００４９】
このように、二種類の位置情報を比較検証して、一の位置情報を作成することにより、入力装置の誤検出を低減することができる。
【００５０】
または、例えば、図６（Ａ）に示すように、入力装置１５０において、入力部１５０ａのみを用いることでも誤検出を低減することができる。ここでは、物体１２０ａと物体１２０ｂとに挟まれた領域の位置情報を検出する方法について説明する。
【００５１】
入力部１５０ａの領域１００ａは、物体１２０ａの形状に対応した位置情報１３４ａを取得する（図６（Ｂ）参照。）。これは、図２のステップＳ１１１に相当する。同様に、入力部１５０ａの領域１００ｃは、物体１２０ｂの形状に対応した位置情報１３４ｂを取得する（図６（Ｃ）参照。）。これは、図２のステップＳ１１２に相当する。
【００５２】
図６（Ｄ）に、位置情報１３４ａと、位置情報１３４ｂと、の論理積である位置情報１３２を示す。これは、図２のステップＳ１１３に相当する。
【００５３】
次に、位置情報１３２が値を持つことを確認する。これは、図２のステップＳ１１４に相当する。
【００５４】
そして、位置情報１３２に応じた信号を出力する。これは、図２のステップＳ１１５に相当する。
【００５５】
このように、二種類の位置情報を比較検証して、一の位置情報を作成することにより、入力装置の誤検出を低減することができる。
【００５６】
また、ここでは説明しなかったが、入力部１５０ｂの領域１００ｄを利用しても構わない。
【００５７】
なお、入力装置１５０が、入力部１５０ａと入力部１５０ｂとが一体となったものであっても構わない。例えば、図７（Ａ）に示すように、可とう性を有する入力装置１５０の一部が入力部１５０ａとなり、他の一部が入力部１５０ｂとなっても構わない。この場合、図７（Ｂ）に示すように、入力装置１５０が一回折り畳んだ際に、図４（Ｂ）などに示したように入力部１５０ａの領域１００ａと、入力部１５０ｂの領域１００ｂと、が互いに向かい合った状態になる。入力装置１５０が、可とう性を有することによって、様々なデザインの入力装置１５０とすることができる。また、軽量な入力装置１５０とすることができる。また、丈夫な入力装置１５０とすることができる。なお、折り畳まれた状態においても、折れ部が明確にならない場合がある。例えば、折れ部がなだらかに変化する場合も、折り畳まれた状態と呼ぶことができる。
【００５８】
また、例えば、図７（Ａ）に示したように、入力装置１５０が、展開された状態では入力部１５０ａと入力部１５０ｂとの区別をつけなくても構わない場合がある。また、例えば、図７（Ｂ）に示したように、入力装置１５０が折り畳まれた際に、折り畳み位置を検出し、その位置に応じて入力部１５０ａと入力部１５０ｂとを区別する機能を有しても構わない場合がある。
【００５９】
同様に、図８（Ａ）に示すように、入力装置１５０が山折に一回と、谷折に一回折り畳んだ状態としても構わない。また、図８（Ｂ）に示すように、入力装置１５０が山折に二回折り畳まれた状態としても構わない。また、図示しないが、入力装置１５０が、さらに折り畳まれた状態としても構わない。入力装置１５０は、折り畳む数を増やすことで、入力部１５０ａ、入力部１５０ｂと同様の入力部をさらに有しても構わない。
【００６０】
＜表示装置＞
図９に、上述した入力装置と、表示装置と、を有するモジュールの例を示す。
【００６１】
図９（Ａ）は、表示装置１６０と、入力装置１５０と、を有するモジュール２００の斜視図である。表示装置１６０は、上面に表示領域１６２を有する。入力装置１５０は、表示領域１６２側に配置される。ただし、入力装置１５０が、表示領域１６２の反対側に配置されても構わない場合がある。
【００６２】
図９（Ｂ）は、表示装置１６０と、入力装置１５０と、入力装置１５２と、を有するモジュール２００の斜視図である。表示装置１６０は、上面に表示領域１６２を有する。入力装置１５０は、表示領域１６２側に配置される。また、入力装置１５２は、表示領域１６２の反対側に配置される。なお、入力装置１５２については、入力装置１５０についての説明を参照する。また、入力装置１５０と入力装置１５２とを、併せて一つの入力装置と見なしても構わない。また、入力装置１５０と入力装置１５２とが、一体であっても構わない。
【００６３】
なお、モジュール２００は、可とう性を有する領域を有しても構わない。モジュール２００が、可とう性を有する領域を有することによって、様々なデザインのモジュール２００とすることができる。また、軽量なモジュール２００とすることができる。また、丈夫なモジュール２００とすることができる。
【００６４】
モジュール２００は、入力装置１５０から出力された信号を、表示領域１６２に表示された内容に応じて利用することができる。そのため、モジュール２００は様々なアプリケーションに好適である。
【００６５】
＜タッチパネル１＞
以下では、本発明の一態様に係るタッチパネルの構成について、図１２および図１３を参照しながら説明する。なお、以下ではタッチセンサーを用いて説明するが、以下の内容を非接触センサーに適用しても構わない。
【００６６】
図１２（Ａ）は、本実施の形態で例示するタッチパネル５００の斜視図である。なお明瞭化のため、代表的な構成要素のみを示し、一部の構成要素を省略して示す。図１２（Ｂ）は、タッチパネル５００の斜視図である。
【００６７】
図１３は、図１２（Ａ）に示すタッチパネル５００のＸ１−Ｘ２における断面図である。
【００６８】
タッチパネル５００は、表示部５０１と、タッチセンサー５９５と、を有する（図１２（Ｂ）参照。）。また、タッチパネル５００は、基板５１０と、基板５７０と、基板５９０と、を有する。なお、基板５１０、基板５７０および基板５９０はいずれも可とう性を有する。
【００６９】
表示部５０１は、基板５１０と、複数の配線５１１と、を有する。なお、複数の配線５１１は、基板５１０上の複数の画素に信号を供給する機能を有する。複数の配線５１１は、基板５１０の外周部にまで引き回され、その一部に端子５１９を有する。端子５１９は、ＦＰＣ５０９（１）と電気的に接続する。
【００７０】
基板５９０には、タッチセンサー５９５と、タッチセンサー５９５と電気的に接続する複数の配線５９８を有する。複数の配線５９８は基板５９０の外周部に引き回され、その一部は端子を構成する。そして、当該端子はＦＰＣ５０９（２）と電気的に接続される。なお、図１２（Ｂ）では明瞭化のため、基板５９０の裏面側（基板５１０と対向する面側）に設けられるタッチセンサー５９５の電極や配線等も実線で示している。
【００７１】
タッチセンサー５９５として、例えば静電容量方式のタッチセンサーを適用できる。静電容量方式としては、表面型静電容量方式、投影型静電容量方式等がある。投影型静電容量方式としては、主に駆動方式の違いから自己容量方式、相互容量方式などがある。相互容量方式を用いると同時多点検出が可能となるため好ましい。
【００７２】
以下では、投影型静電容量方式のタッチセンサーを適用する場合について、図１２（Ｂ）を用いて説明する。なお、指等の検知対象の近接または接触を検知することができるさまざまなセンサーを適用することができる。
【００７３】
投影型静電容量方式のタッチセンサー５９５は、電極５９１と、電極５９２と、を有する。電極５９１は複数の配線５９８のいずれかと電気的に接続し、電極５９２は複数の配線５９８の他のいずれかと電気的に接続する。
【００７４】
電極５９２は、図１２（Ａ）および図１２（Ｂ）に示すように、一方向に繰り返し配置された複数の四辺形が角部で接続された形状を有する。電極５９１は四辺形であり、電極５９２が延在する方向と交差する方向に繰り返し配置されている。配線５９４は、電極５９２を挟む二つの電極５９１を電気的に接続する。このとき、電極５９２と配線５９４の交差部の面積ができるだけ小さくなる形状が好ましい。これにより、電極が設けられていない領域の面積を低減でき、透過率のムラを低減できる。その結果、タッチセンサー５９５を透過する光の輝度ムラを低減することができる。
【００７５】
なお、電極５９１、電極５９２の形状はこれに限られず、様々な形状を取りうる。例えば、複数の電極５９１をできるだけ隙間が生じないように配置し、絶縁層を介して電極５９２を、電極５９１と重ならない領域ができるように離間して複数設ける構成としてもよい。このとき、隣接する２つの電極５９２の間に、これらとは電気的に絶縁されたダミー電極を設けると、透過率の異なる領域の面積を低減できるため好ましい。
【００７６】
タッチセンサー５９５の構成を、図１３（Ａ）を用いて説明する。タッチセンサー５９５は、基板５９０と、基板５９０上に互い違いに配置された電極５９１および電極５９２と、電極５９１および電極５９２を覆う絶縁層５９３と、隣り合う電極５９１同士を電気的に接続する配線５９４と、を有する。また、タッチパネル５００は、タッチセンサー５９５が表示部５０１に重なるように、基板５９０を基板５７０に貼り合わせる樹脂層５９７を有する。
【００７７】
電極５９１および電極５９２は、透光性を有する導電体を用いて形成する。透光性を有する導電体としては、酸化インジウム、インジウムスズ酸化物、インジウム亜鉛酸化物、酸化亜鉛、アルミニウムを添加した酸化亜鉛、またはガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【００７８】
透光性を有する導電体を基板５９０上にスパッタリング法により成膜した後、フォトリソグラフィ法等の様々なパターニング技術により、不要な部分を除去して、電極５９１および電極５９２を形成することができる。
【００７９】
また、絶縁層５９３としては、例えば、アクリル、エポキシなどの有機樹脂、シロキサン結合を有する無機樹脂の他、酸化シリコン、酸化窒化シリコン、酸化アルミニウムなどの無機絶縁体を用いることもできる。
【００８０】
また、電極５９１に達する開口部が絶縁層５９３に設けられ、配線５９４が隣接する電極５９１を電気的に接続する。透光性の導電体は、タッチパネルの開口率を高めることができるため、配線５９４に好適である。また、電極５９１および電極５９２より導電性の高い導電体は、電気抵抗を低減できるため配線５９４に好適である。
【００８１】
電極５９２の一は一方向に延在し、複数の電極５９２がストライプ状に設けられている。
【００８２】
配線５９４は電極５９２と交差して設けられている。
【００８３】
一対の電極５９１が電極５９２の一を挟んで設けられ、配線５９４は一対の電極５９１を電気的に接続している。
【００８４】
なお、複数の電極５９１は、電極５９２の一と必ずしも直交する方向に配置される必要はなく、９０度未満の角度をなすように配置されてもよい。
【００８５】
配線５９８の一は、電極５９１または電極５９２と電気的に接続される。配線５９８の一部は、端子として機能する。配線５９８としては、例えば、アルミニウム、金、白金、銀、ニッケル、チタン、タングステン、クロム、モリブデン、鉄、コバルト、銅、またはパラジウム等の金属や、該金属を含む合金を用いることができる。
【００８６】
なお、絶縁層５９３および配線５９４を覆う絶縁層を設けて、タッチセンサー５９５を保護することができる。
【００８７】
また、接続層５９９は、配線５９８とＦＰＣ５０９（２）を電気的に接続する。
【００８８】
接続層５９９としては、様々な異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【００８９】
樹脂層５９７は、透光性を有する。例えば、熱硬化性樹脂や紫外線硬化樹脂を用いることができ、具体的には、アクリル、ウレタン、エポキシ、またはシロキサン結合を有する樹脂などの樹脂を用いることができる。
【００９０】
表示部５０１は、マトリクス状に配置された複数の画素を有する。画素は表示素子と表示素子を駆動する画素回路を有する。
【００９１】
本実施の形態では、白色の光を射出する有機エレクトロルミネッセンス素子を表示素子に適用する場合について説明するが、表示素子はこれに限られない。
【００９２】
例えば、副画素毎に射出する光の色が異なるように、発光色が異なる有機エレクトロルミネッセンス素子を副画素毎に適用してもよい。
【００９３】
また、有機エレクトロルミネッセンス素子の他、電気泳動方式やエレクトロウェッティング方式などにより表示を行う表示素子（電子インクともいう）、シャッター方式のＭＥＭＳ表示素子、光干渉方式のＭＥＭＳ表示素子、液晶素子など、様々な表示素子を表示素子に用いることができる。
【００９４】
また、透過型液晶ディスプレイ、半透過型液晶ディスプレイ、反射型液晶ディスプレイ、直視型液晶ディスプレイなどにも適用できる。なお、半透過型液晶ディスプレイや反射型液晶ディスプレイを実現する場合には、画素電極の一部、または、全部が、反射電極としての機能を有するようにすればよい。例えば、画素電極の一部、または、全部が、アルミニウム、銀、などを有するようにすればよい。さらに、その場合、反射電極の下に、ＳＲＡＭなどの記憶回路を設けることも可能である。これにより、さらに、消費電力を低減することができる。また、適用する表示素子に好適な構成を様々な画素回路から選択して用いることができる。
【００９５】
また、表示部において、画素に能動素子を有するアクティブマトリクス方式、または、画素に能動素子を有しないパッシブマトリクス方式を用いることが出来る。
【００９６】
アクティブマトリクス方式では、能動素子（アクティブ素子、非線形素子）として、トランジスタだけでなく、さまざまな能動素子（アクティブ素子、非線形素子）を用いることが出来る。例えば、ＭＩＭ（Ｍｅｔａｌ  Ｉｎｓｕｌａｔｏｒ  Ｍｅｔａｌ）、またはＴＦＤ（Ｔｈｉｎ  Ｆｉｌｍ  Ｄｉｏｄｅ）などを用いることも可能である。これらの素子は、製造工程が少ないため、製造コストの低減、または歩留まりの向上を図ることができる。または、これらの素子は、素子のサイズが小さいため、開口率を向上させることができ、低消費電力化や高輝度化をはかることが出来る。
【００９７】
アクティブマトリクス方式以外のものとして、能動素子（アクティブ素子、非線形素子）を用いないパッシブマトリクス型を用いることも可能である。能動素子（アクティブ素子、非線形素子）を用いないため、製造工程が少ないため、製造コストの低減、または歩留まりの向上を図ることができる。または、能動素子（アクティブ素子、非線形素子）を用いないため、開口率を向上させることができ、低消費電力化、または高輝度化などを図ることが出来る。
【００９８】
基板５１０および基板５７０としては、可とう性を有する基板を用いることが好ましい。また、基板５１０および基板５７０としては、不純物の透過が抑制された基板を用いることが好ましい。例えば、水蒸気の透過率が１０−５ｇ／（ｍ２・ｄａｙ）以下、好ましくは１０−６ｇ／（ｍ２・ｄａｙ）以下である基板が好適である。なお、基板５１０および基板５７０には、線膨張率のおよそ等しい基板を用いることが好ましい。例えば、線膨張率が１×１０−３／Ｋ以下、好ましくは５×１０−５／Ｋ以下、より好ましくは１×１０−５／Ｋ以下である基板が好適である。
【００９９】
例えば、基板５１０は、可とう性を有する基板５１０ｂ、不純物が発光素子まで拡散することを防ぐバリア膜５１０ａおよび基板５１０ｂとバリア膜５１０ａを貼り合わせる樹脂層５１０ｃが積層された積層体とする。例えば、ポリエステル、ポリオレフィン、ポリアミド（ナイロン、アラミド等）、ポリイミド、ポリカーボネートまたはアクリル、ウレタン、エポキシもしくはシロキサン結合を有する樹脂を樹脂層５１０ｃに用いることができる。基板５７０は、可とう性を有する基板５７０ｂ、不純物が発光素子まで拡散することを防ぐバリア膜５７０ａおよび基板５７０ｂとバリア膜５７０ａを貼り合わせる樹脂層５７０ｃの積層体である。
【０１００】
封止材５６０は基板５７０と基板５１０を貼り合わせている。封止材５６０は空気より高い屈折率を有する。また、封止材５６０側に光を取り出す場合は、封止材５６０が空気よりも高い屈折率を有することで、封止材５６０と他層との界面などにおける光の全反射を低減できるため好ましい場合がある。画素回路および発光素子（例えば発光素子５５０Ｒ）は基板５１０と基板５７０の間にある。
【０１０１】
画素は、副画素５０２Ｒを含み、副画素５０２Ｒは発光モジュール５８０Ｒを有する。
【０１０２】
副画素５０２Ｒは、発光素子５５０Ｒおよび発光素子５５０Ｒに電力を供給することができるトランジスタ５０２ｔを含む画素回路を有する。また、発光モジュール５８０Ｒは発光素子５５０Ｒおよび光学素子（例えば着色層５６７Ｒ）を有する。なお、発光素子５５０Ｒは、下部電極、上部電極、下部電極と上部電極の間に発光性の有機化合物を含む層を有する。
【０１０３】
発光モジュール５８０Ｒは、光を取り出す方向に着色層５６７Ｒを有する。着色層は特定の波長を有する光を透過するものであればよく、例えば赤色、緑色または青色等を呈する光を選択的に透過するものを用いることができる。なお、他の副画素において、発光素子の発する光をそのまま透過する領域を設けてもよい。また、封止材５６０が光を取り出す側に設けられている場合、封止材５６０は、発光素子５５０Ｒと着色層５６７Ｒに接する領域を有する。着色層５６７Ｒは発光素子５５０Ｒと重なる位置にある。これにより、発光素子５５０Ｒが発する光の一部は着色層５６７Ｒを透過して、図中に示す矢印の方向の発光モジュール５８０Ｒの外部に射出される。
【０１０４】
表示部５０１は、光を射出する方向に遮光層５６７ＢＭを有する。遮光層５６７ＢＭは、着色層（例えば着色層５６７Ｒ）を囲むように設けられている。
【０１０５】
表示部５０１は、画素に重なる位置に反射防止層５６７ｐを有する。反射防止層５６７ｐとして、例えば円偏光板を用いることができる。表示部５０１は、絶縁体５２１を有する。なお、絶縁体５２１はトランジスタ５０２ｔを覆っている。また、絶縁体５２１は画素回路に起因する凹凸を平坦化するための層として用いることができる。また、不純物の拡散を抑制できる層を含む積層膜を、絶縁体５２１に用いても構わない。これにより、不純物の拡散によるトランジスタ５０２ｔ等の信頼性の低下を抑制できる。
【０１０６】
表示部５０１は、発光素子（例えば発光素子５５０Ｒ）を絶縁体５２１上に有する。なお、表示部５０１は、下部電極の端部に重なる隔壁５２８を絶縁体５２１上に有する。また、基板５１０と基板５７０の間隔を制御するスペーサを、隔壁５２８上に有する。
【０１０７】
走査線駆動回路５０３ｇ（１）は、トランジスタ５０３ｔおよび容量５０３ｃを含む。なお、駆動回路を画素回路と同一の工程で同一基板上に形成することができる。
【０１０８】
表示部５０１は、信号を供給することができる配線５１１を有する。また、配線５１１の一部は、端子５１９を有する。なお、画像信号および同期信号等の信号を供給することができるＦＰＣ５０９（１）が端子５１９に電気的に接続されている。なお、ＦＰＣ５０９（１）にはプリント配線基板（ＰＷＢ）が取り付けられていてもよい。
【０１０９】
具体的には、アルミニウム、クロム、銅、タンタル、チタン、モリブデン、タングステン、ニッケル、イットリウム、ジルコニウム、銀またはマンガンから選ばれた金属元素、上述した金属元素を成分とする合金または上述した金属元素を組み合わせた合金等を用いることができる。とくに、アルミニウム、クロム、銅、タンタル、チタン、モリブデン、タングステンの中から選択される一以上の元素を含むと好ましい。特に、銅とマンガンの合金がウェットエッチング法を用いた加工に好適である。例えば、アルミニウム上にチタンを積層する二層構造、窒化チタン上にチタンを積層する二層構造、窒化チタン上にタングステンを積層する二層構造、窒化タンタルまたは窒化タングステン上にタングステンを積層する二層構造、チタンと、そのチタン上にアルミニウムを積層し、さらにその上にチタンを形成する三層構造等を用いることができる。具体的には、アルミニウム上にチタン、タンタル、タングステン、モリブデン、クロム、ネオジム、スカンジウムから選ばれた一または複数組み合わせた合金、もしくは窒化物を積層する積層構造を用いることができる。また、酸化インジウム、酸化スズまたは酸化亜鉛を含む透光性を有する導電体を用いてもよい。
【０１１０】
様々なトランジスタを表示部５０１に適用できる。
【０１１１】
ボトムゲート型のトランジスタを表示部５０１に適用する場合の構成を、図１３（Ａ）および図１３（Ｂ）に図示する。例えば、酸化物半導体、有機物半導体または非晶質シリコン等を含む半導体を、図１３（Ａ）に図示するトランジスタ５０２ｔおよびトランジスタ５０３ｔに適用しても構わない。酸化物半導体は、例えば、インジウム、ガリウムまたは亜鉛の一以上を有する酸化物を用いればよい。または、例えば、レーザー光などの処理により結晶化させた多結晶シリコンを含む半導体を、図１３（Ｂ）に図示するトランジスタ５０２ｔおよびトランジスタ５０３ｔに適用しても構わない。
【０１１２】
トップゲート型のトランジスタを表示部５０１に適用する場合の構成を、図１３（Ｃ）に図示する。例えば、多結晶シリコンまたは単結晶シリコン基板等から転置された単結晶シリコン等を含む半導体を、図１３（Ｃ）に図示するトランジスタ５０２ｔおよびトランジスタ５０３ｔに適用しても構わない。
【０１１３】
＜タッチパネル２＞
以下では、本発明の一態様に係るタッチパネルの別の構成について、図１４を参照しながら説明する。
【０１１４】
図１４は、タッチパネル５００Ｂ断面図である。タッチパネル５００Ｂは、供給された画像情報をトランジスタが設けられている側に表示する表示部５０１を有する点およびタッチセンサーが表示部の基板５１０側に設けられている点が、図１２および図１３などに示したタッチパネル５００とは異なる。ここでは異なる構成について詳細に説明し、同様の構成を用いることができる部分は、上記の説明を参照する。
【０１１５】
表示部５０１は、マトリクス状に配置された複数の画素を有する。画素は表示素子と表示素子を駆動する画素回路を有する。
【０１１６】
画素は、副画素５０２Ｒを含み、副画素５０２Ｒは発光モジュール５８０Ｒを有する。副画素５０２Ｒは、発光素子５５０Ｒおよび発光素子５５０Ｒに電力を供給することができるトランジスタ５０２ｔを含む画素回路を有する。発光モジュール５８０Ｒは発光素子５５０Ｒおよび光学素子（例えば着色層５６７Ｒ）を有する。発光素子５５０Ｒは、下部電極、上部電極、下部電極と上部電極の間に発光性の有機化合物を含む層を有する。
【０１１７】
発光モジュール５８０Ｒは、光を取り出す方向に着色層５６７Ｒを有する。着色層は特定の波長を有する光を透過するものであればよく、例えば赤色、緑色または青色等を呈する光を選択的に透過するものを用いることができる。なお、他の副画素において、発光素子の発する光をそのまま透過する領域を設けてもよい。
【０１１８】
着色層５６７Ｒは発光素子５５０Ｒと重なる位置にある。また、図１４（Ａ）に示す発光素子５５０Ｒは、トランジスタ５０２ｔが設けられている側に光を射出する。これにより、発光素子５５０Ｒが発する光の一部は着色層５６７Ｒを透過して、図中に示す矢印の方向の発光モジュール５８０Ｒの外部に射出される。
【０１１９】
表示部５０１は、光を射出する方向に遮光層５６７ＢＭを有する。遮光層５６７ＢＭは、着色層（例えば着色層５６７Ｒ）を囲むように設けられている。また、表示部５０１は、絶縁体５２１を有する。絶縁体５２１はトランジスタ５０２ｔを覆っている。なお、絶縁体５２１は画素回路に起因する凹凸を平坦化するための層として用いることができる。また、不純物の拡散を抑制できる層を含む積層膜を、絶縁体５２１に用いても構わない。これにより、例えば着色層５６７Ｒから拡散する不純物によるトランジスタ５０２ｔ等の信頼性の低下を抑制できる。
【０１２０】
タッチセンサー５９５は、表示部５０１の基板５１０側に設けられている（図１４（Ａ）参照。）。
【０１２１】
樹脂層５９７は、基板５１０と基板５９０の間にあり、表示部５０１とタッチセンサー５９５を貼り合わせる。
【０１２２】
様々なトランジスタを表示部５０１に適用できる。
【０１２３】
ボトムゲート型のトランジスタを表示部５０１に適用する場合の構成を、図１４（Ａ）および図１４（Ｂ）に図示する。例えば、酸化物半導体、非晶質シリコン等を含む半導体を、図１４（Ａ）に図示するトランジスタ５０２ｔおよびトランジスタ５０３ｔに適用しても構わない。また、一対のゲート電極をトランジスタのチャネルが形成される領域を上下に挟むように設けてもよい。これにより、トランジスタの特性の変動を抑制し、信頼性を高めることができる。例えば、多結晶シリコン等を含む半導体を、図１４（Ｂ）に図示するトランジスタ５０２ｔおよびトランジスタ５０３ｔに適用しても構わない。
【０１２４】
トップゲート型のトランジスタを表示部５０１に適用する場合の構成を、図１４（Ｃ）に図示する。例えば、多結晶シリコンまたは転写された単結晶シリコン等を含む半導体を、図１４（Ｃ）に図示するトランジスタ５０２ｔおよびトランジスタ５０３ｔに適用しても構わない。
【０１２５】
＜タッチパネル３＞
以下では、本発明の一態様に係るタッチパネルの別の構成について、図１５および図１６を参照しながら説明する。
【０１２６】
図１５は本発明の一態様のタッチパネル７００ＴＰの構成を説明する投影図である。なお、説明の便宜のために検知ユニット６０２の一部および画素７０２の一部を拡大して図示している。
【０１２７】
図１６（Ａ）は図１５に示す本発明の一態様のタッチパネル７００ＴＰのＺ１−Ｚ２における断面の構造を示す断面図である。また、図１６（Ｂ）および図１６（Ｃ）は、図１６（Ａ）に示す構造の一部を置換することができる構造の変形例を示す断面図である。
【０１２８】
タッチパネル７００ＴＰは、表示部７００および表示部７００に重なる入力部６００を有する（図１５参照。）。入力部６００は、マトリクス状に配設される複数の検知ユニット６０２を有する。また、行方向（図中に矢印Ｒで示す）に配置される複数の検知ユニット６０２が電気的に接続される選択信号線Ｇ１または制御線ＲＥＳなどを有する。また、列方向（図中に矢印Ｃで示す）に配置される複数の検知ユニット６０２が電気的に接続される信号線ＤＬなどを有する。なお、検知ユニット６０２は検知回路を有する。検知回路は、選択信号線Ｇ１、制御線ＲＥＳまたは信号線ＤＬなどに電気的に接続される。
【０１２９】
トランジスタまたは／および検知素子等を検知回路に用いることができる。例えば、検知素子に導電体と当該導電体に電気的に接続される容量素子を用いることができる。また、容量素子と当該容量素子に電気的に接続されるトランジスタを用いることができる。
【０１３０】
絶縁層６５３、絶縁層６５３を挟持する第１の電極６５１および第２の電極６５２を有する容量素子６５０を用いることができる（図１６（Ａ）参照。）。
【０１３１】
また、検知ユニットは、マトリクス状に配置された複数の窓部６６７を有する。窓部６６７は可視光を透過し、複数の窓部６６７の間に遮光性の層ＢＭを配設してもよい。また、検知ユニットは、窓部６６７に重なる位置に着色層を有する。着色層は、所定の色の光を透過する。なお、着色層はカラーフィルタということができる。例えば、青色の光を透過する着色層ＣＦＢ、緑色の光を透過する着色層ＣＦＧまたは赤色の光を透過する着色層ＣＦＲを用いることができる。また、黄色の光を透過する着色層や白色の光を透過する着色層を用いてもよい。
【０１３２】
表示部７００は、マトリクス状に配置された複数の画素７０２を有する。画素７０２は入力部６００の窓部６６７と重なるように配置されている。
【０１３３】
画素７０２は、検知ユニット６０２に比べて高い精細度で配設されてもよい。
【０１３４】
タッチパネル７００ＴＰは、可視光を透過する窓部６６７を有し、マトリクス状に配設される複数の検知ユニット６０２を有する入力部６００と、窓部６６７に重なる画素７０２を複数有する表示部７００と、を有し、窓部６６７と画素７０２の間に着色層を含んで構成される。また、それぞれの検知ユニットに他の検知ユニットへの干渉を低減することができるスイッチが配設されている。
【０１３５】
これにより、各検知ユニットが検知する検知信号を検知情報として検知ユニットの位置情報とともに供給することができる。また、画像を表示する画素の位置情報に関連付けて検知情報を供給することができる。また、検知情報を供給させない検知ユニットと信号線を非導通状態にすることで、検知情報を供給させる検知ユニットへの干渉を低減することができる。その結果、利便性または信頼性に優れた新規なタッチパネル７００ＴＰを提供することができる。
【０１３６】
例えば、タッチパネル７００ＴＰの入力部６００は検知情報を検知して位置情報とともに供給することができる。具体的には、タッチパネル７００ＴＰの使用者は、入力部６００に触れた指等をポインタに用いて様々なジェスチャー（タップ、ドラッグ、スワイプまたはピンチイン等）をすることができる。
【０１３７】
入力部６００は、入力部６００に近接または接触する指等を検知して、検知した位置または軌跡等を含む検知情報を供給することができる。
【０１３８】
演算装置は供給された情報が所定の条件を満たすか否かをプログラム等に基づいて判断し、所定のジェスチャーに関連付けられた命令を実行する。これにより、入力部６００の使用者は、指等を用いて所定のジェスチャーを供給し、所定のジェスチャーに関連付けられた命令を演算装置に実行させることができる。
【０１３９】
例えば、タッチパネル７００ＴＰの入力部６００は、一の信号線に検知情報を供給することができる複数の検知ユニットから一の検知ユニットを選択し、選択された検知ユニットを除いた他の検知ユニットと当該一の信号線を非導通状態にすることができる。これにより、選択されていない他の検知ユニットがもたらす選択された検知ユニットへの干渉を低減することができる。具体的には、選択されていない検知ユニットの検知素子がもたらす選択された検知ユニットの検知素子への干渉を低減できる。
【０１４０】
例えば、容量素子および当該容量素子の一の電極が電気的に接続された導電体を検知素子に用いる場合において、選択されていない検知ユニットの導電体の電位がもたらす、選択された検知ユニットの導電体の電位への干渉を低減することができる。
【０１４１】
これにより、タッチパネル７００ＴＰはその大きさに依存することなく、検知ユニットを駆動して、検知情報を供給させることができる。例えば、ハンドヘルド型に用いることができる大きさから、ホワイトボードに用いることができる大きさまで、さまざまな大きさのタッチパネル７００ＴＰを提供することができる。
【０１４２】
また、タッチパネル７００ＴＰが折り畳まれた状態および展開された状態にすることができ、かつ折り畳まれた状態と展開された状態とで選択されていない検知ユニットがもたらす選択された検知ユニットへの干渉が異なる場合においても、タッチパネル７００ＴＰの状態に依存することなく検知ユニットを駆動して、検知情報を供給させることができる。
【０１４３】
また、タッチパネル７００ＴＰの表示部７００は表示情報Ｖを供給されることができる。例えば、演算装置は表示情報Ｖを供給することができる。
【０１４４】
以上の構成に加えて、タッチパネル７００ＴＰは以下の構成とすることもできる。
【０１４５】
タッチパネル７００ＴＰの入力部６００は、駆動回路６０３ｇまたは駆動回路６０３ｄを有してもよい。また、フレキシブルプリント基板ＦＰＣ１と電気的に接続されてもよい。タッチパネル７００ＴＰの表示部７００は、走査線駆動回路７０３ｇ、配線７１１または端子７１９を有してもよい。また、フレキシブルプリント基板ＦＰＣ２と電気的に接続されてもよい。
【０１４６】
また、傷の発生を防いでタッチパネル７００ＴＰを保護する保護層６７０を有してもよい。例えば、セラミックコート層またはハードコート層を保護層６７０に用いることができる。具体的には、酸化アルミニウムを含む層またはＵＶ硬化樹脂を用いることができる。また、タッチパネル７００ＴＰが反射する外光の強度を弱める反射防止層６７０ｐを用いることができる。具体的には、円偏光板等を用いることができる。
【０１４７】
以下に、タッチパネル７００ＴＰを構成する個々の要素について説明する。なお、これらの構成は明確に分離できず、一つの構成が他の構成を兼ねる場合や他の構成の一部を含む場合がある。
【０１４８】
例えば、複数の窓部６６７に重なる位置に着色層を有する入力部６００は、入力部６００であるとともにカラーフィルタでもある。
【０１４９】
また、例えば入力部６００が表示部７００に重ねられたタッチパネル７００ＴＰは、入力部６００であるとともに表示部７００でもある。
【０１５０】
タッチパネル７００ＴＰは、入力部６００または表示部７００を有する。
【０１５１】
入力部６００は、検知ユニット６０２、選択信号線Ｇ１、信号線ＤＬまたは基材６１０を有する。なお、基材６１０に入力部６００を形成するための膜を成膜し、当該膜を加工する方法を用いて、入力部６００を形成してもよい。または、入力部６００の一部を他の基材に形成し、当該一部を基材６１０に転置する方法を用いて、入力部６００を形成してもよい。
【０１５２】
検知ユニット６０２は、近接または接触するものを検知して検知情報を供給する。例えば静電容量、照度、磁力、電波または圧力等を検知して、検知した物理量に基づく情報を供給する。具体的には、容量素子、光電変換素子、磁気検知素子、圧電素子または共振器等を検知素子に用いることができる。また、検知ユニット６０２は、例えば、近接または接触するものとの間の静電容量の変化を検知する。具体的には、導電体および導電体と電気的に接続された検知回路を用いてもよい。
【０１５３】
なお、大気中において、指などの大気より大きな誘電率を有するものが導電体に近接すると、指と導電体の間の静電容量が変化する。この静電容量の変化を検知して検知情報を供給することができる。具体的には、導電体および当該導電体に一方の電極が接続された容量素子を含む検知回路を検知ユニット６０２に用いることができる。例えば、静電容量の変化に伴い指と導電体との間の静電容量と容量素子との間で電荷の分配が引き起こされ、容量素子の両端の電極の電圧が変化する。この電圧の変化である検知信号を検知情報として用いることができる。具体的には、容量素子６５０の電極間の電圧は一方の電極に電気的に接続された導電体にものが近接することにより変化する（図１６（Ａ）参照。）。
【０１５４】
検知ユニット６０２は、制御信号に基づいて導通状態または非導通状態にすることができるスイッチを有する。例えば、トランジスタＭ１２をスイッチに用いることができる。また、検知信号を増幅するトランジスタを検知ユニット６０２に用いることができる。また、トランジスタＭ１２と同一の工程で作製することができるトランジスタを、検知信号を増幅するトランジスタおよびスイッチに用いることができる。これにより、作製工程が簡略化された入力部６００を提供できる。なお、トランジスタは、図１３などに示したトランジスタ５０２ｔなどについての記載を参照する。
【０１５５】
入力部６００は、選択信号線Ｇ１、制御線ＲＥＳまたは信号線ＤＬなどを有する。
【０１５６】
駆動回路６０３ｇは例えば所定のタイミングで選択信号を供給することができる。具体的には、選択信号を選択信号線Ｇ１ごとに所定の順番で供給する。また、さまざまな回路を駆動回路６０３ｇに用いることができる。例えば、シフトレジスタ、フリップフロップ回路、組み合わせ回路などを用いることができる。
【０１５７】
駆動回路６０３ｄは、検知信号に基づいて検知情報を供給する。また、さまざまな回路を駆動回路６０３ｄに用いることができる。例えば、検知ユニットに配設された検知回路と電気的に接続されることによりソースフォロワ回路やカレントミラー回路を構成することができる回路を、駆動回路６０３ｄに用いることができる。また、検知信号をデジタル信号に変換するアナログデジタル変換回路を有していてもよい。
【０１５８】
基材６１０は、製造工程に耐えられる程度の耐熱性および製造装置に適用可能な厚さおよび大きさを有するものであれば、特に限定されない。特に、可とう性を有する基材を用いると、入力部６００を折り畳んだ状態または展開された状態にすることができる。なお、表示部７００が表示をする側に入力部６００を配置する場合は、透光性を有する基材を基材６１０に用いる。
【０１５９】
有機材料、無機材料または有機材料と無機材料等の複合材料等を基材６１０に用いることができる。例えば、ガラス、セラミックスまたは金属等の無機材料を基材６１０に用いることができる。具体的には、無アルカリガラス、ソーダ石灰ガラス、カリガラスまたはクリスタルガラス等を、基材６１０に用いることができる。具体的には、金属酸化物膜、金属窒化物膜若しくは金属酸窒化物膜等を、基材６１０に用いることができる。例えば、酸化珪素、窒化珪素、酸窒化珪素、アルミナ膜等を、基材６１０に用いることができる。例えば、樹脂、樹脂フィルムまたはプラスチック等の有機材料を基材６１０に用いることができる。具体的には、ポリエステル、ポリオレフィン、ポリアミド、ポリイミド、ポリカーボネート若しくはアクリル樹脂等の樹脂フィルムまたは樹脂板を、基材６１０に用いることができる。例えば、薄板状のガラス板または無機材料等の膜を樹脂フィルム等に貼り合わせた複合材料を基材６１０に用いることができる。例えば、繊維状または粒子状の金属、ガラスもしくは無機材料等を樹脂フィルムに分散した複合材料を、基材６１０に用いることができる。例えば、繊維状または粒子状の樹脂もしくは有機材料等を無機材料に分散した複合材料を基材６１０に用いることができる。
【０１６０】
また、単層の材料または複数の層が積層された積層材料を、基材６１０に用いることができる。例えば、基材と基材に含まれる不純物の拡散を防ぐ絶縁層等が積層された積層材料を、基材６１０に用いることができる。具体的には、ガラスとガラスに含まれる不純物の拡散を防ぐ酸化シリコン膜、窒化シリコン膜または酸化窒化シリコン膜等から選ばれた一または複数の膜が積層された積層材料を、基材６１０に適用できる。または、樹脂と樹脂を透過する不純物の拡散を防ぐ酸化シリコン膜、窒化シリコン膜または酸化窒化シリコン膜等が積層された積層材料を、基材６１０に適用できる。具体的には、可とう性を有する基材６１０ｂ、不純物の拡散を防ぐバリア膜６１０ａおよび基材６１０ｂとバリア膜６１０ａを貼り合わせる樹脂層６１０ｃの積層体を用いることができる（図１６（Ａ）参照。）。
【０１６１】
フレキシブルプリント基板ＦＰＣ１は、タイミング信号、電源電位等を供給し、検知信号を供給される。
【０１６２】
表示部７００は、画素７０２、走査線、信号線または基材７１０を有する（図１５参照。）。なお、基材７１０に表示部７００を形成するための膜を成膜し、当該膜を加工して表示部７００を形成してもよい。または、表示部７００の一部を他の基材に形成し、当該一部を基材７１０に転置して、表示部７００を形成してもよい。
【０１６３】
画素７０２は副画素７０２Ｂ、副画素７０２Ｇおよび副画素７０２Ｒを含み、それぞれの副画素は表示素子と表示素子を駆動する画素回路を有する。
【０１６４】
画素回路は、例えば、トランジスタ７０２ｔを含む。
【０１６５】
表示部７００はトランジスタ７０２ｔを覆う絶縁体７２１を有する。絶縁体７２１は画素回路に起因する凹凸を平坦化するための層として用いることができる。また、絶縁体７２１に不純物の拡散を抑制できる層を含む積層膜を適用することができる。これにより、不純物の拡散によるトランジスタ７０２ｔ等の信頼性の低下を抑制できる。
【０１６６】
発光モジュール７８０Ｒは、光を取り出す方向に着色層ＣＦＲを有する。着色層は特定の波長を有する光を透過するものであればよく、例えば赤色、緑色または青色等の光を選択的に透過するものを用いることができる。なお、他の副画素を着色層が設けられていない窓部に重なるように配置して、着色層を透過しないで発光素子の発する光を射出させてもよい。
【０１６７】
着色層ＣＦＲは発光素子７５０Ｒと重なる位置にある。これにより、発光素子７５０Ｒが発する光の一部は着色層ＣＦＲを透過して、図中に示す矢印の方向の発光モジュール７８０Ｒの外部に射出される。
【０１６８】
着色層（例えば着色層ＣＦＲ）を囲むように遮光性の層ＢＭがある。
【０１６９】
なお、光を取り出す側に封止材７６０が設けられている場合、封止材７６０は発光素子７５０Ｒと着色層ＣＦＲに接してもよい。
【０１７０】
下部電極は絶縁体７２１の上に配設される。下部電極に重なる開口部が設けられた隔壁７２８を有する。なお、隔壁７２８の一部は下部電極の端部に重なる。下部電極は、上部電極との間に発光性の有機化合物を含む層を挟持して発光素子（例えば発光素子７５０Ｒ）を構成する。画素回路は発光素子に電力を供給する。
【０１７１】
また、隔壁７２８上に、基材６１０と基材７１０の間隔を制御するスペーサを有する。
【０１７２】
なお、半透過型液晶ディスプレイや反射型液晶ディスプレイを実現する場合には、画素電極の一部、または、全部が、反射電極としての機能を有するようにすればよい。例えば、画素電極の一部、または、全部が、アルミニウム、銀、などを有するようにすればよい。また、反射電極の下に、ＳＲＡＭなどの記憶回路を設けることも可能である。これにより、さらに、消費電力を低減することができる。また、適用する表示素子に好適な構成を様々な画素回路から選択して用いることができる。
【０１７３】
可とう性を有する基材を基材７１０に用いることができる。例えば、基材６１０に用いることができる基材と同様の基材を基材７１０に適用することができる。なお、基材７１０が透光性を必要としない場合は、例えば透光性を有しない基材、具体的にはＳＵＳまたはアルミニウム等を用いることができる。例えば、可とう性を有する基材７１０ｂと、不純物の拡散を防ぐバリア膜７１０ａと、基材７１０ｂおよびバリア膜７１０ａを貼り合わせる樹脂層７１０ｃと、が積層された積層体を基材７１０に好適に用いることができる（図１６（Ａ）参照。）。
【０１７４】
封止材７６０は基材６１０と基材７１０を貼り合わせる。封止材７６０は空気より大きい屈折率を有する。また、封止材７６０側に光を取り出す場合は、封止材７６０が空気よりも高い屈折率を有することで、封止材７６０と他層との界面などにおける光の全反射を低減できるため好ましい場合がある。なお、画素回路または発光素子（例えば発光素子７５０Ｒ）は基材７１０と基材６１０の間にある。
【０１７５】
走査線駆動回路７０３ｇは選択信号を供給する。トランジスタ７０３ｔおよび容量７０３ｃを含む。なお、画素回路と同一の工程で同一基材上に形成することができるトランジスタを駆動回路に用いることができる。
【０１７６】
表示部７００は、走査線、信号線および電源線等の配線を有する。
【０１７７】
＜応用例＞
上述した入力装置は、操作装置などの用途で用いることもできる。
【０１７８】
図１０に、入力装置１５０と、送信部１５４と、を有する操作装置２１０の例を示す。なお、操作装置は、コントローラ、リモートコントローラ、ゲームコントローラなどを範疇に含む。なお、操作装置２１０は、送信部１５４を有さなくても構わない場合がある。
【０１７９】
送信部１５４は、操作装置２１０の入力装置１５０に入力された信号を送信する機能を有する。例えば、無線方式などで信号を受信機（図示しない）に送ることができる。なお、信号は有線方式で送信しても構わない。
【０１８０】
例えば、図１０に示すように、左手２２０ａと右手２２０ｂとで、操作装置２１０を持つことができる。そして、上述した方法などによって、入力装置１５０から信号を出力することができる。
【０１８１】
なお、操作装置２１０は、可とう性を有する領域を有しても構わない。操作装置２１０が、可とう性を有する領域を有することによって、様々なデザインの操作装置２１０とすることができる。また、軽量な操作装置２１０とすることができる。また、丈夫な操作装置２１０とすることができる。
【０１８２】
また、操作装置２１０は、表示領域を有しても構わない。また、操作装置２１０は、記憶装置を有しても構わない。また、操作装置２１０は、プロセッサを有しても構わない。また、操作装置２１０が、ゲーム装置として用いても構わない。
【０１８３】
図１１に、操作装置２１０を有するゲーム装置３００の例を示す。
【０１８４】
図１１（Ａ）は、輪ゴムのような環状の物体を左手３２２ａの親指および人差し指と、右手３２２ｂの人差し指と、で伸ばした例である。例えば、物体が伸びきった状態で、左手３２２ａの親指と人差し指とを開けば、物体が縮みながら飛ぶなどの動作を実現することができる。なお、図１１（Ａ）などに示すゲーム装置３００は、スピーカー３７０Ｌと、スピーカー３７０Ｒと、外部接続端子３７２と、マイク３７４と、アンテナ３７６と、プロセッサ３７８と、を有していてもよい。
【０１８５】
図１１（Ｂ）は、弓を射る例である。右手３２２ｂの親指および人差し指で、弓を引き、右手３２２ｂの親指と人差し指とを開けば、矢が放たれるなどの動作を実現することができる。
【０１８６】
図１１（Ｃ）は、ピンボールの例である。右手３２２ｂの親指および人差し指で、ばねを引き、右手３２２ｂの親指と人差し指とを開けば、ボールが飛び出すなどの動作を実現することができる。
【０１８７】
このように、本発明の一態様に係る操作装置を用いることで、独特の操作性を有するゲーム装置などを提供することができる。また、本発明の一態様に係る入力装置は、誤検出が少ないため、検出精度の高さが求められるゲーム装置に好適である。
【０１８８】
なお、本発明の一態様に係る入力装置、表示装置、モジュール、操作装置または／およびゲーム装置を電子機器に適用しても構わない。その際、電子機器がスピーカー、操作キーまたはバッテリーを有しても構わない。
【０１８９】
情報機器も電子機器である。携帯性を有する情報機器（携帯機器）としては、例えば、携帯電話機（ファブレット、スマートフォン（スマホ））、タブレット端末（スレートＰＣ）、電子ペーパーなども含まれる。例えば、本発明の一態様に係る情報機器を用いることで、ウェブや電子書籍などにおいて、図５などに示したセンシング方法を用いることで、親指を使用することなくのページ送りまたページ戻しの動作を行うことができる。即ち、親指を、情報機器を保持するためだけに用いることができる。また、スリープモードなどからの復帰時に、露出していない表面におけるセンシングによってロックを解除できるようにすれば、容易かつ安全に操作を復帰させることができる。
【０１９０】
また、時計、腕時計、ブレスレット、アンクレット、ペンダント、眼鏡（両目型、片目型）、指輪またはカードなどに本発明の一態様に係る入力装置、表示装置、モジュール、操作装置または／およびゲーム装置を有するものも、本発明の一態様に係る電子機器の範疇に含まれる。
【符号の説明】
【０１９１】
１００ａ    領域
１００ｂ    領域
１００ｃ    領域
１００ｄ    領域
１２０    物体
１２０ａ    物体
１２０ｂ    物体
１２２    位置情報
１２４ａ    位置情報
１２４ｂ    位置情報
１３２    位置情報
１３４ａ    位置情報
１３４ｂ    位置情報
１５０    入力装置
１５０ａ    入力部
１５０ｂ    入力部
１５２    入力装置
１５４    送信部
１６０    表示装置
１６２    表示領域
２００    モジュール
２１０    操作装置
２２０ａ    左手
２２０ｂ    右手
３２２ａ    左手
３２２ｂ    右手
３７０Ｌ    スピーカー
３７０Ｒ    スピーカー
３７２    外部接続端子
３７４    マイク
３７６    アンテナ
３７８    プロセッサ
５００    タッチパネル
５００Ｂ    タッチパネル
５０１    表示部
５０２Ｒ    副画素
５０２ｔ    トランジスタ
５０３ｃ    容量
５０３ｇ    走査線駆動回路
５０３ｔ    トランジスタ
５０９    ＦＰＣ
５１０    基板
５１０ａ    バリア膜
５１０ｂ    基板
５１０ｃ    樹脂層
５１１    配線
５１９    端子
５２１    絶縁体
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    樹脂層
５８０Ｒ    発光モジュール
５９０    基板
５９１    電極
５９２    電極
５９３    絶縁層
５９４    配線
５９５    タッチセンサー
５９７    樹脂層
５９８    配線
５９９    接続層
６００    入力部
６０２    検知ユニット
６０３ｄ    駆動回路
６０３ｇ    駆動回路
６１０    基材
６１０ａ    バリア膜
６１０ｂ    基材
６１０ｃ    樹脂層
６５０    容量素子
６５１    電極
６５２    電極
６５３    絶縁層
６６７    窓部
６７０    保護層
６７０ｐ    反射防止層
７００    表示部
７００ＴＰ    タッチパネル
７０２    画素
７０２Ｂ    副画素
７０２Ｇ    副画素
７０２Ｒ    副画素
７０２ｔ    トランジスタ
７０３ｃ    容量
７０３ｇ    走査線駆動回路
７０３ｔ    トランジスタ
７１０    基材
７１０ａ    バリア膜
７１０ｂ    基材
７１０ｃ    樹脂層
７１１    配線
７１９    端子
７２１    絶縁体
７２８    隔壁
７５０Ｒ    発光素子
７６０    封止材
７８０Ｒ    発光モジュール
【図１】
2015228211.tif 000003
【図２】
2015228211.tif 000004
【図３】
2015228211.tif 000005
【図４】
2015228211.tif 000006
【図５】
2015228211.tif 000007
【図６】
2015228211.tif 000008
【図７】
2015228211.tif 000009
【図８】
2015228211.tif 000010
【図９】
2015228211.tif 000011
【図１０】
2015228211.tif 000012
【図１１】
2015228211.tif 000013
【図１２】
2015228211.tif 000014
【図１３】
2015228211.tif 000015
【図１４】
2015228211.tif 000016
【図１５】
2015228211.tif 000017
【図１６】
2015228211.tif 000018